(57)【特許請求の範囲】
【請求項１】
アンモニア性窒素を含む有機性廃棄物に炭酸ガスを接触させ、前記有機性廃棄物からアンモニア性窒素を分離して処理液を得るストリッピング塔を備え、ここで、ストリッピング塔の、塔上段にはアンモニア性窒素を含む有機性廃棄物の供給手段が設けられ、塔下段には炭酸ガスの吹込み手段が設けられるとともに、さらに塔頂部には有機性廃棄物中のアンモニア性窒素がガスに同伴されて排出される排出手段が設けられ、また排出手段の下流には、ストリッピング塔の登頂部から排出されるアンモニアを含む蒸気を冷却する冷却器、さらに冷却器の下流には、アンモニア成分を重炭酸アンモニウムおよび炭酸アンモニウムを主成分とする回収液として回収する回収液タンクが連通されている、ことを特徴とするアンモニア除去装置。
【請求項２】
請求項１に記載のアンモニア除去装置と、
前記請求項1記載のアンモニア除去装置で得られる処理液を供給して、前記アンモニア性窒素が分離された有機性廃棄物をメタン発酵し、有機物の分解と消化ガスの回収を行うメタン発酵槽
とを備えたことを特徴とする有機性廃棄物の処理装置。
【請求項３】
前記メタン発酵槽から発生した消化ガスを燃焼させる燃焼装置と、
前記燃焼装置から排出された二酸化炭素を含む排ガスを、前記ストリッピング塔に供給する排ガス供給手段
とを有した請求項２に記載の有機性廃棄物の処理装置。
【請求項４】
ストリッピング塔内でアンモニア性窒素を含む有機性廃棄物を塔上段に供給するとともに、塔下段から炭酸ガスを吹き込んで当該有機性廃棄物と炭酸ガスを接触させ、前記有機性廃棄物からアンモニア性窒素を分離して処理液を得るとともに、さらに塔頂部には有機性廃棄物中のアンモニア性窒素をガスに同伴させて排出するとともに、またその下流においてストリッピング塔の登頂部から排出されるアンモニアを含む蒸気を冷却させ、さらにその下流においてアンモニア成分を重炭酸アンモニウムおよび炭酸アンモニウムを主成分とする回収液として回収してなるストリッピング工程と、
前記処理液を供給して、前記アンモニア性窒素が分離された有機性廃棄物をメタン発酵し、有機物の除去と消化ガスの回収を行うメタン発酵工程
とを備えたことを特徴とする有機性廃棄物の処理方法。
【請求項５】
前記消化ガスを脱硫した後に燃焼し、その際に発生した前記炭酸ガスを含む排ガスを前記ストリッピング塔に供給する請求項４に記載の有機性廃棄物の処理方法。
【発明の詳細な説明】
【技術分野】
【０００１】
本発明は、家畜糞尿、食品廃棄物、または、高濃度のアンモニア性窒素含有の有機性排水などからアンモニアを除去するアンモニア除去装置と、このアンモニア除去装置から排出された処理液をメタン発酵処理する処理装置および処理方法に関する。
なお、前記有機物を高濃度に含有する家畜糞尿などの廃棄物や排水を包含して有機性廃棄物というが、各々の用語で記載する場合もある。
【背景技術】
【０００２】
従来から、アンモニア性窒素を高濃度に含有する有機性廃棄物においては、河川や海域の富栄養化を防止するため、各種の方法で脱窒処理されている。しかしながら、豚糞、鶏糞、牛糞、馬糞や羊糞などの家畜糞尿などにおいては、その対策が遅れているのが現状であり、地下水や河川の汚染が深刻となっており、その対策が急務となっている。
【０００３】
従来、家畜糞尿を処理する方法として、家畜糞尿（以下、有機性排水）を固液分離し、分離した液をメタン発酵させ、このとき高濃度のメタンを含有する消化ガスを回収し、発酵後の液(消化液)を活性汚泥微生物で水処理するなどの方法が知られている。これらの処理方法では、アンモニア性窒素の微生物への阻害を回避するため、アンモニア性窒素を低濃度化する方法が行われている。具体的には、メタン発酵させる前段階において、メタン発酵における阻害因子となるアンモニア性窒素を水蒸気によるストリッピング〔スチームストリッピング法、例えば特許文献１（特開２００９−６６５７２号公報）参照〕や、空気を用いた曝気による揮散などにより除去する。
【０００４】
このうち、スチームストリッピング法では、ストリッピング用のストリッピング塔において、その塔上部から、高濃度にアンモニア性窒素を含有する有機性排水を流下する一方、塔下部より水蒸気を供給することで、ストリッピング塔内で水蒸気が有機性排水と接触し、有機性排水中のアンモニア成分が水蒸気側へ移行し、有機性排水中から取り除かれる。ストリッピング後のアンモニアを含む水蒸気は、塔頂部からの排出後、冷却器により冷却されて、アンモニアを含む凝縮水（回収液）として回収されるのが一般的である。
また、空気を用いた曝気法の場合でも、液温を高めることで有機性排水中のアンモニア含有量を容易に低減することができ、かつアンモニアを含む凝縮水を回収することもできる。
【０００５】
しかしながら、何れの有機性排水の処理方法の場合でも、回収液の主成分は、水酸化アンモニウム、重炭酸アンモニウムおよび炭酸アンモニウムである。このうち、水酸化アンモニウムは、常温でも分圧平衡分のアンモニアが放散する。そのため、水蒸気の冷却後に臭気対策の装置を設ける必要があった。
【先行技術文献】
【特許文献】
【０００６】
【特許文献１】特開２００９−６６５７２号公報
【発明の概要】
【発明が解決しようとする課題】
【０００７】
本発明は、上記のような課題を背景になされたもので、ストリッピング塔に炭酸ガスを吹き込むことで、有機性排液中からストリッピングされたアンモニアと二酸化炭素とを反応させ、アンモニア分を、常温での放散がし易い水酸化アンモニウムに代えて放散しにくい重炭酸アンモニウムおよび炭酸アンモニウムを主成分とした回収液として回収することができ、これによりストリッピング塔から水蒸気を含むガスの冷却後にアンモニア用の脱臭装置を不必要とすることが可能なアンモニア除去装置およびこれを用いた有機性廃棄物の処理装置ならびに処理方法を提供することにある。
【課題を解決するための手段】
【０００８】
前記目的を達成するための本発明の要旨は、請求項１に記載の本発明は、アンモニア性窒素を含む有機性廃棄物に炭酸ガスを接触させ、前記有機性廃棄物からアンモニア性窒素を分離して処理液を得るストリッピング塔を備えたことを特徴とするアンモニア除去装置である。
【０００９】
また、請求項２に記載の本発明は、前記ストリッピング塔に供給される前記有機性廃棄物と、前記ストリッピング塔の底部から排出された前記処理液とを熱交換する熱交換器を有した請求項１に記載のアンモニア除去装置である。
【００１０】
また、請求項３に記載の本発明は、アンモニア性窒素を含む有機性廃棄物に炭酸ガスを接触させ、前記有機性廃棄物からアンモニア性窒素を分離して処理液を得るストリッピング塔を有したアンモニア除去装置と、
前記処理液を供給して、前記アンモニア性窒素が分離された有機性廃棄物をメタン発酵し、有機物の分解と消化ガスの回収を行うメタン発酵槽
とを備えたことを特徴とする有機性廃棄物の処理装置である。
【００１１】
また、請求項４に記載の本発明は、前記ストリッピング塔に供給される前記有機性廃棄物と、前記ストリッピング塔の底部から排出された前記処理液とを熱交換する熱交換器を有した請求項３に記載の有機性廃棄物の処理装置である。
【００１２】
さらに、請求項５に記載の本発明は、
前記メタン発酵槽から発生した消化ガスを燃焼させる燃焼装置と、
前記燃焼装置から排出された二酸化炭素を含む排ガスを、前記ストリッピング塔に供給する排ガス供給手段
とを有した請求項３または請求項４に記載の有機性廃棄物の処理装置である。
【００１３】
さらにまた、請求項６に記載の本発明は、前記排ガス供給手段は、
前記燃焼装置と前記ストリッピング塔とを連通する排ガス供給管と、
前記排ガス供給管の途中に設けられて、前記排ガスの二酸化炭素濃度を計測するＣＯ２濃度計と
前記排ガス供給管の途中に設けられて、前記排ガスの流量を指示調整する流量指示調節計と、
を有した請求項５に記載の有機性廃棄物の処理装置である。
【００１４】
請求項７に記載の本発明は、前記燃焼装置が、消化ガスボイラーまたは消化ガス発電機である請求項５または請求項６に記載の有機性廃棄物の処理装置である。
【００１５】
請求項８に記載の本発明は、ストリッピング塔内でアンモニア性窒素を含む有機性廃棄物に炭酸ガスを接触させ、前記有機性廃棄物からアンモニア性窒素を分離して処理液を得るストリッピング工程と、前記処理液を供給して、前記アンモニア性窒素が分離された有機性廃棄物をメタン発酵し、有機物の除去と消化ガスの回収を行うメタン発酵工程とを備えたことを特徴とする有機性廃棄物の処理方法である。
【００１６】
請求項９に記載の本発明は、前記ストリッピング塔に供給される前記有機性廃棄物と、前記ストリッピング塔の底部から排出された前記処理液とを熱交換する請求項８に記載の有機性廃棄物の処理方法である。
【００１７】
請求項１０に記載の本発明は、前記消化ガスを脱硫した後に燃焼し、その際に発生した前記炭酸ガスを含む排ガスを前記ストリッピング塔に供給する請求項８または請求項９に記載の有機性廃棄物の処理方法である。
【００１８】
請求項１１に記載の本発明は、前記ストリッピング塔内でストリッピング中の有機性廃棄物の温度が、７０℃以上１００℃未満である請求項８〜請求項１０のうち、何れか１項に記載の有機性廃棄物の処理方法である。
【００１９】
請求項１２に記載の本発明は、前記有機性廃棄物が家畜糞尿に由来するものである請求項８〜請求項１１のうち、何れか１項に記載の有機性廃棄物の処理方法である。
【００２０】
ここで、アンモニア除去装置とは、塔下部から炭酸ガスを吹き込んで、加熱した処理する有機性廃棄物と気液接触させることにより有機性廃棄物中のアンモニア性窒素をガス中に移行させ気液接触により生じた水蒸気を含むガスに同伴して塔頂部から排出後、これらの成分を含むガスを冷却器で冷却することにより重炭酸アンモニウムや炭酸アンモニウムを主成分とする回収液として回収する装置である。
前記アンモニア除去装置の運転条件としては、通常、常圧であり、好ましくは温度８５℃〜９０℃であり、通常、水蒸気を含む炭酸ガスによりストリッピング処理される。
炭酸ガスとしては、メタン発酵槽から回収された消化ガスを燃焼した排ガスのほか、消化ガスのメタンガス精製装置で排出する炭酸ガス、さらには一般の重油、ガス炊きボイラーなどの燃焼排ガスなどを採用することができる。
【００２１】
メタン発酵槽としては、メタン発酵槽、酸発酵槽とメタン発酵槽との組み合わせ装置、または上向流嫌気性処理装置（ＵＡＳＢ装置）などを採用することができる。また、回収した消化ガスは燃料などとして利用することができる。なお、メタン発酵槽におけるメタン発酵の処理温度は限定されないが、例えば、中温発酵処理方法では３５〜３８℃、高温発酵処理方法では５４〜５６℃程度である。なお、滞留時間は、２日〜２週間として処理するのが好ましい。
【発明の効果】
【００２２】
請求項１に記載の本発明においては、ストリッピング用のストリッピング塔において、塔下部から炭酸ガスを吹き込むことで、塔上部から流下する有機性廃棄物が気液接触することにより有機性廃棄物中のアンモニア成分は、ガス側へ移行して除去される。
ストリッピング後のアンモニア成分を含む水蒸気含有ガスは、ストリッピング塔の塔頂部から排出された後、冷却器により冷却されて、アンモニア分を、常温で放散しにくい重炭酸アンモニウムおよび炭酸アンモニウムを主成分とした回収液として回収することができる。これにより、ストリッピング塔から水蒸気の冷却後にアンモニア用の脱臭装置を不必要とすることもできる。
【００２３】
請求項２、請求項４および請求項９に記載の本発明においては、熱交換器を用いて、ストリッピング塔に供給される有機性廃棄物と、ストリッピング塔の底部から排出された処理液とを熱交換するようにしたので、従来のスチーム直接吹込法に比べ水蒸気量を１５％程度減少させることが可能である。
【００２４】
請求項３および請求項８に記載の本発明においては、ストリッピング用のストリッピング塔において、塔下部から炭酸ガスを吹き込むことで加熱した処理する有機性廃棄物と気液接触させることにより有機性廃棄物中のアンモニア性窒素をガス中に移行させ気液接触により生じた水蒸気を含むガスに同伴して塔頂部から排出後、これらの成分を含むガスを冷却器で冷却することにより重炭酸アンモニウムや炭酸アンモニウムを主成分とする回収液として回収することができる。
このように、ストリッピング後のアンモニア成分を含むガスは、ストリッピング塔の塔頂部から排出された後、冷却器により冷却されて、アンモニア成分を、常温で放散し難い重炭酸アンモニウムおよび炭酸アンモニウムを主成分とした回収液として回収することができる。これにより、ストリッピング塔からガスの冷却後にアンモニア用の脱臭装置を不必要とすることもできる。
また、アンモニア除去装置において、メタン発酵における阻害因子となるアンモニア性窒素をメタン発酵に影響しない濃度まで低減された処理液（脱アンモニア液）はメタン発酵槽に供給される。メタン発酵槽では、メタン生成菌の働きによりメタン発酵して燃料などとして使用されるメタンを含む消化ガスが回収され、効率的な発酵処理が可能となる。
【００２５】
請求項５に記載の本発明においては、メタン発酵槽から発生した消化ガスを燃焼装置により燃焼させ、その際、燃焼装置から排出された二酸化炭素を含む排ガスを排ガス供給手段によりストリッピング塔に供給する。これにより、メタン発酵槽から発生した消化ガスを有効利用して、アンモニア除去装置のストリッピング塔に供給される炭酸ガスを得ることができる。
【００２６】
請求項６に記載の本発明においては、燃焼装置から排出された二酸化炭素を含む排ガスを排ガス供給管を通してストリッピング塔に供給する。その途中、流量指示調節計により排ガスの流量を指示調整するとともに、ＣＯ２濃度計により排ガスの二酸化炭素濃度を計測する。これにより、アンモニアと反応する二酸化炭素必要量を供給し効率的なストリッピングを行うことができる。
【００２７】
請求項１０に記載の本発明においては、燃焼装置に供給される前の消化ガスを脱硫するので、硫化水素などの発生を低減して大気汚染を防止することができる。
【００２８】
請求項１１に記載の本発明においては、ストリッピング塔内でストリッピング中の有機性廃棄物の温度を７０℃以上１００℃未満としたので、比較的少量の炭酸ガスを含む排ガスでアンモニア性窒素をガス中に移行させることができるという効果が得られる。ストリッピング中の有機性廃棄物の温度が７０℃未満では、有機性廃棄物からのアンモニアの除去率が低下する。一方、１００℃以上では、ストリッピング塔が圧力容器構造規格を満足する仕様となり設備費が嵩むという不都合が生じる。ストリッピング塔内でストリッピング中の有機性廃棄物の好ましい温度は、８５〜９０℃である。
【図面の簡単な説明】
【００２９】
【図１】本発明の一実施形態で、有機性廃棄物（家畜糞尿）の処理装置の系統図である。
【図２】本発明の一実施形態で、ストリッピング塔内での有機性廃棄物の液温とアンモニアの除去率との関係を示すグラフである。
【発明を実施するための形態】
【００３０】
以下、この発明を具体的に説明する。
図１は、本発明の一実施形態の有機性廃棄物の処理装置の系統図である。
【００３１】
図１は、有機性廃棄物として家畜糞尿を対象とした処理装置であり、主な装置構成としては、有機性廃棄物の原液タンク１、アンモニア性窒素を分離するアンモニア除去装置２、メタン発酵するメタン発酵槽３、メタン発酵槽３内でのメタン発酵により得られた消化ガスを燃焼する消化ガスボイラー４および消化ガス発電機５と、消化ガスボイラー４および消化ガス発電機５から排出された二酸化炭素を含む排ガスを、アンモニア除去装置２へ供給する排ガス供給手段６とを備えている。
【００３２】
以下、これらの構成を詳細に説明する。
原液タンク１は、スクリーンで家畜糞尿から夾雑物を除去した液状の有機性廃棄物（以下「原液」という）を後段の処理工程に供給するにあたり、原液の供給量を調整するために貯留する貯留槽であり、必要によりＰＨ調整が行われる。
原液は、熱交換器１１を経て後段のアンモニア除去装置２に供給される構成となっている。
【００３３】
アンモニア除去装置２は、原液中のアンモニア性窒素の一部を排出除去する棚段式ストリッピング塔（ストリッピング塔）２Ａを有している。なお、ストリッピング塔は、棚段式にかぎらず、充填塔であってもよい。塔上段には加熱処理された原液が供給され、塔下段に排ガス供給手段６から供給された二酸化炭素を含む排ガスが吹き込まれ、有機性廃棄物中のアンモニア分が上昇水蒸気および排ガスに同伴されて上昇し、棚段により分留濃縮され、塔頂部からアンモニアを含む蒸気として排出される。ストリッピング塔２Ａの塔頂部には、冷却水を冷媒とする冷却器７により当該蒸気を冷却する冷却器７が連通されている。冷却器７より下流部には、アンモニア成分を重炭酸アンモニウム、炭酸アンモニウムを主成分とした回収液として回収する回収液タンク８が連通されている。
【００３４】
回収液タンク８より下流部には、回収液タンク８から排出された回収液を貯留する回収液貯留タンク９が連通されている。また、回収液タンク８から排出された回収液の一部はストリッピング塔２Ａの塔上段に還流されている。そのため、回収液タンク８には高濃度の重炭酸アンモニウム、炭酸アンモニウム含有の凝縮液が貯留される。また、回収液タンク８の上部からは、アンモニア分が低減された炭酸ガスなどが大気解放される。その途中で、活性炭などを含む脱臭装置１０により炭酸ガス中に微量に含まれたアンモニアなどの臭気分が脱臭される。また、大気解放されるガスのうち、未反応の炭酸ガスが、排ガス供給管１６の途中に還流される。
さらに、ストリッピング塔２Ａの塔底からは処理液である脱アンモニアされた液（以下「脱アンモニア液」という）が抜き出され、熱交換器１１によりアンモニア除去装置２に供給される原液と熱交換して適宜温度に調整され、いったん中継タンク１２に貯留後、後段のメタン発酵槽３に供給される構成となっている。
【００３５】
メタン発酵槽３は、アンモニア除去装置２から供給された脱アンモニア液を、メタン生成菌の働きによりメタン発酵して燃料などとして使用されるメタンを含む消化ガスを回収する装置である。具体的には、メタン発酵装置３は、被メタン処理液である脱アンモニア液を収容する発酵槽、発酵槽内の中央において垂直方向に配設されたドラフトチューブ、ドラフトチューブに連通して上部に配設されたヘッドタンクから主になり、メタン発酵槽３はヘッドタンクにより覆蓋された密閉構造となる。メタン発酵槽３内で発酵後の消化液は消化液タンク１３に供給され、その後、活性汚泥微生物により水処理される。
【００３６】
メタン発酵槽３の後段には脱硫塔１４が連通され、メタン発酵槽３から排出された消化ガスの脱硫が行われる。脱硫塔１４の下流部にはガスホルダー１５が連通され、ここで脱硫後の消化ガスがいったん貯留される。ガスホルダー１５の下流部には、消化ガスを燃料とする消化ガスボイラー（燃焼装置）４および消化ガス発電機（燃焼装置）５が配設されている。消化ガスは、これらの燃焼装置内で燃焼される。消化ガスボイラー４では、脱硫後の消化ガスを燃焼して水蒸気が発生する。この水蒸気は、ストリッピング塔２Ａに供給される水蒸気として使用される。なお、水蒸気は、貯留塔２Ａの塔下部に直接供給される場合と、熱交換後の原液に供給される場合と、ストリッピング塔２Ａから排出された脱アンモニア液の一部が再度ストリッピング塔２Ａの中段に還流される際において、還流される脱アンモニア液に混入される場合とがある。
【００３７】
燃焼時に発生した二酸化炭素を含む排ガスは、排ガス供給管１６を介して、消化ガスボイラー４および消化ガス発電機５と、ストリッピング塔２Ａの塔下段および塔底とを連通する。また、排ガス供給管１６の上流部には、排ガスの流量を指示調整する流量指示調節計１７が設けられる一方、排ガス供給管１６の下流部には、排ガスの二酸化炭素濃度を計測するＣＯ２濃度計１８が設けられている。排ガスが発生過多になった場合には、排ガス供給管１６の流量指示調節計１７より上流部分から、排ガスの一部（余剰分）を大気放出する。
【００３８】
なお、図１において、Ｐ１は原液タンク１の原液を熱交換器１１を経てストリッピング塔２Ａに圧送する第１ポンプ、Ｐ２はストリッピング塔２Ａの塔底から排出された脱アンモニア液を熱交換器１１を経て中継タンク１２へ圧送する第２ポンプである。また、Ｐ３は中継タンク１２に貯留された脱アンモニア液をメタン発酵槽３に圧送する第３ポンプ、Ｐ４は燃焼装置４，５からの排ガスをストリッピング塔２Ａに圧送する第４ポンプである。
【００３９】
次に、図１に記載した本発明に係る家畜糞尿の処理装置の系統図に基づき、家畜糞尿を処理する処理方法を説明する。
まず、家畜糞尿をスクリーンに供給して家畜糞尿から夾雑物を除去する（図示せず）。スクリーンで分離された原液は第１ポンプＰ１によりアンモニア除去装置２のストリッピング塔２Ａの塔上段に圧送される。その途中、原液は熱交換器１１を通過することで、ストリッピング塔２Ａの塔底から排出された脱アンモニア液と熱交換して８５〜９０℃に加熱される。塔上段に供給された原液は塔内を流下する一方、塔下段には加熱用のスチームおよび排ガス供給手段６から供給された二酸化炭素を含む排ガスが吹き込まれ、有機性廃棄物中のアンモニア分がガスに同伴されて塔頂部から塔外へ排出される。
【００４０】
二酸化炭素を含む排ガスは、液中からストリッピングされたアンモニアと排ガス中の二酸化炭素とが反応して、アンモニア分を重炭酸アンモニウムおよび炭酸アンモニウムを生成する。以下、この反応を次式に示す。
ＮＨ３＋ＣＯ２＋Ｈ２Ｏ  →  ＮＨ４ＨＣＯ３
または
２ＮＨ３＋ＣＯ２＋Ｈ２Ｏ  →  （ＮＨ４）２ＣＯ３
【００４１】
冷却水を冷媒とする冷却器７により冷却され、アンモニア分が重炭酸アンモニウム、炭酸アンモニウムを主成分とした回収液として回収液タンク８に貯留される。
次に、回収液タンク８内の回収液は回収液貯留タンク９へ貯留される。このとき、回収液タンク８から排出された回収液の一部はストリッピング塔２Ａの塔上段に還流（再ストリッピング）される。これにより、塔頂部より排出する蒸気中のアンモニアの濃度を高めることができる。そのため、回収液タンク８には高濃度の重炭酸アンモニウムおよび炭酸アンモニウムを含有する凝縮液が貯留される。これにより、凝縮液中には、炭酸アンモニウム、重炭酸アンモニウムの析出した固形分が混合した回収液として回収することができる。
【００４２】
回収液タンク８の上部からは、アンモニア分が回収された未反応の炭酸ガスなどを含む排ガスが、脱臭装置１０により脱臭されて大気解放される。大気解放されるガスのうち、未反応の炭酸ガスの一部が、排ガス供給管１６の途中に還流される。
次に、ストリッピング塔２Ａの塔底からは処理液である脱アンモニア液が第２ポンプＰ２により抜き出され、前記熱交換器１１によりアンモニア除去装置２に供給される原液と熱交換して適宜温度に調整される。その後、脱アンモニア液はいったん中継タンク１２に貯留された後、第３ポンプＰ３によりメタン発酵槽３に供給される。
【００４３】
メタン発酵槽３に供給された脱アンモニア液は、メタン発酵槽３内で、３５〜３８℃の中温発酵処理方法で行われるが、５４〜５６℃程度の高温発酵処理方法であってもよい。また、メタン発酵処理におけるＰＨは８．０〜８．５に維持し、容積負荷量ＣＯＤｃｒ（二クロム酸カリウムを用いて測定される化学的酸素要求量）２０〜２５ｋｇ／ｍ３／ｄで運転される。発生した消化ガスはメタン発酵槽３の上部に形成されるガス溜りに滞留して内圧を高め、ドラフトチューブに連通して上部に配設されたヘッドタンクへ消化液を押し上げることになる。
【００４４】
メタン発酵槽３の上部に形成されるガス溜りに滞留した消化ガスは、その圧力で消化ガス排出管から排出され、シールポットを経て脱硫塔１４に供給され、脱硫塔１４により消化ガス中に混在する硫化水素が除去され、ガスホルダ１５に貯留される。ガスホルダ１５に貯留された消化ガスは、消化ガスボイラー４および消化ガス発電機５の燃料として利用される。なお、メタン発酵槽３内の固形分濃度は、４ｗｔ％〜１５ｗｔ％となるように調整される。
【００４５】
消化ガスボイラー４では、脱硫後の消化ガスを燃焼し水蒸気が発生する。この水蒸気は、ストリッピング塔２Ａに供給される原液およびガスの加温用として直接吹き込み、あるいは間接加温用の水蒸気として使用される。なお、水蒸気は、貯留塔２Ａの塔下部に直接供給されるか、熱交換後の原液に供給されるか、ストリッピング塔２Ａから排出された脱アンモニア液の一部が再度ストリッピング塔２Ａの中段に還流される際、この還流される脱アンモニア液中に混入されるなど、液の直接加温として、あるいはそれぞれの箇所の熱交換としての間接加温用として供給される。
【００４６】
燃焼時に消化ガスボイラー４および消化ガス発電機５から発生した二酸化炭素を含む排ガスは、第４ポンプＰ４により排ガス供給管１６を介して、ストリッピング塔２Ａの塔下段および塔底とに圧送される。その途中、流量指示調節計１７により排ガスの流量が指示調整される一方、ＣＯ２濃度計１８により排ガスの二酸化炭素濃度が計測される。なお、排ガスが発生過多になった場合には、排ガス供給管１６の流量指示調節計１７より上流部分から、排ガスの一部（余剰分）を大気放出する。
【００４７】
このように、家畜糞尿の処理装置を構成し、家畜糞尿を処理運転したことで、家畜糞尿のメタン発酵を効率的に行うことができ、廃棄物である家畜糞尿を、排出元の近傍農家などで利用可能な家畜飼料や肥料および燃料ガスなどの多くの有効な処理物として回収できるとともに、廃棄物としての排出を極力少なくすることができる。
【００４８】
また、ストリッピング塔２Ａの塔下部から炭酸ガスを吹き込むことで、加熱した処理する有機性廃棄物と気液接触させることにより有機性廃棄物中のアンモニア性窒素をガス中に移行させ気液接触により生じた水蒸気を含むガスに同伴して塔頂部から排出させ、これらの成分を含むガスを冷却器で冷却することにより重炭酸アンモニウムや炭酸アンモニウムを主成分とする回収液として回収することができる。この結果、ストリッピング塔２Ａから水蒸気の冷却後にアンモニア用の脱臭装置１０を不必要とすることもできる。
【００４９】
また、熱交換器１１を用いて、ストリッピング塔２Ａに供給される有機性廃棄物と、ストリッピング塔２Ａの底部から排出された処理液とを熱交換するようにしたので、従来のスチーム直接吹込法に比べ水蒸気量を１５％程度減少させることが可能である。
さらに、アンモニア除去装置２において、メタン発酵における阻害因子となるアンモニア性窒素をメタン発酵に影響しない濃度まで低減された脱アンモニア液はメタン発酵槽３に供給される。メタン発酵槽３では、メタン生成菌の働きによりメタン発酵して燃料などとして使用されるメタンを含む消化ガスが回収され、効率的な発酵処理が可能となる。
【００５０】
さらにまた、メタン発酵槽３より発生した消化ガスを燃焼装置４，５により燃焼させ、その際、燃焼装置４，５から排出された二酸化炭素を含む排ガスを排ガス供給手段６によりストリッピング塔２Ａに供給する。これにより、メタン発酵槽３から発生した消化ガスを有効利用して、アンモニア除去装置２のストリッピング塔２Ａに供給される炭酸ガスを得ることができる。
【００５１】
燃焼装置４，５から排出された二酸化炭素を含む排ガスを排ガス供給管１６を通してストリッピング塔２Ａに供給する。その途中、流量指示調節計１７により排ガスの流量を指示調整するとともに、ＣＯ２濃度計１８により排ガスの二酸化炭素濃度を計測する。これにより、二酸化炭素を効率的に供給することができる。
燃焼装置４，５に供給される前の消化ガスを脱硫するので、硫化水素などの発生を低減して大気汚染を防止することができる。
【実施例】
【００５２】
試験例
以下に家畜尿汚水を加温し、炭酸ガスをアンモニア回収装置（ストリッピング塔）に吹き込み、汚水中のアンモニアの除去を行った結果の一例を図２に示す。
処理条件は、原液処理量が１０リットル／ｈｒ、原液中のアンモニア性窒素濃度が４ｇ／リットル、ガス吹き込み量が６００リットル／ｈｒ、ガス中のＣＯ２濃度が１０％、ストリッピング温度が８０℃、８５℃、９０℃のとき、アンモニア除去率が３０．７％、５１．６％、７５．７％である。回収液アンモニア態窒素濃度は２〜８ｍｏｌｅ／リットルであった。
前記結果から、液温度（ストリッピング温度）が９０℃のとき、アンモニア除去率が約７６％で、最も好ましかった。
【産業上の利用可能性】
【００５３】
本発明は、牛、豚、鶏、馬や羊などの家畜糞尿や、食品廃棄物、または高濃度のアンモニア性窒素含有の有機性排水などの有機性廃棄物の処理に有用である。
【符号の説明】
【００５４】
２    アンモニア除去装置
２Ａ  ストリッピング塔
３    メタン発酵槽
４    消化ガスボイラー（燃焼装置）
５    消化ガス発電機（燃焼装置）
６    排ガス供給手段
１１  熱交換器
１６  排ガス供給管
１７  流量指示調節計
１８  ＣＯ２濃度計
【図１】
0005773381.tif 000002
【図２】
0005773381.tif 000003